(57)【特許請求の範囲】
【請求項１】
１つ以上のオーディオタイトルセットあるいはビデオタイトルセットを格納するオーディオ／ビデオデータ格納領域と、オーディオ／ビデオシーケンスを構成する所定個所のオーディオ／ビデオデータの、再生順序を示す、オーディオ／ビデオシーケンス情報、及びオーディオ／ビデオデータの光ディスク上での位置を示すオブジェクト位置情報を格納するタイトルセット管理情報格納領域と、前記タイトルセットの光ディスク上での位置を示すタイトルセット位置情報、及びディスク全体を管理するディスク管理情報を格納するディスク管理情報格納領域とをそれぞれ１つ以上有する光ディスクの再生装置であって、
前記再生装置は、
前記光ディスクから前記オーディオ／ビデオデータと、前記オーディオ／ビデオシーケンス情報、前記オブジェクト位置情報、前記タイトルセット位置情報、及び前記ディスク管理情報を読み出す読み出し手段と、
前記読み出し手段を制御する制御手段と、
前記１種類あるいは複数種類のディスク管理情報格納領域から得られたディスク管理情報を記憶する記憶手段と、
前記１種類あるいは複数種類のディスク管理情報格納領域から得られた複数種類のディスク管理情報のうち、ユーザが選択したディスク管理情報の外部入力を受け付ける外部入力受付手段と、
前記記憶手段に複数種類のディスク管理情報が記憶されているか否かを判定する第１の判定手段と、
前記第１の判定手段により前記記憶手段に複数種類のディスク管理情報が記憶されている旨が判定された場合に前記外部入力受付手段により当該複数種類のディスク管理情報の中から選択が行われたか否かを判定する第２の判定手段とを備えており、
前記制御手段は、前記オーディオ／ビデオシーケンス情報、前記オブジェクト位置情報、前記タイトルセット位置情報、及び前記ディスク管理情報を光ディスクから読み出させ、前記ディスク管理情報、前記タイトルセット位置情報、前記オーディオ／ビデオシーケンス情報、及び前記オブジェクト位置情報に従い、前記オーディオ／ビデオデータを順次再生するよう前記読み出し手段を制御し、
前記記憶手段に複数種類のディスク管理情報が記憶されていると判定されるとともに、前記複数種類のディスク管理情報の内１つを選択する指示があった場合に、その指示に従ってディスク管理情報を選択し、該ディスク管理情報に含まれるタイトルセット位置情報と、シーケンス情報、及びオブジェクト位置情報に基づいてオーディオデータあるいはビデオデータを再生する、
ことを特徴とする光ディスク再生装置。
【請求項２】
１つ以上のオーディオタイトルセットあるいはビデオタイトルセットと、該オーディオタイトルセットあるいはビデオタイトルセットのタイトル全体を管理するための、それぞれオーディオディスク情報と、ビデオディスク管理情報、並びにオーディオ／ビデオシーケンス情報、オブジェクト位置情報、及びタイトルセット位置情報を同一のメディアに格納した光ディスクを再生する光ディスク再生装置であって、
前記光ディスクより前記オーディオタイトルセットあるいはビデオタイトルセット、オーディオディスク管理情報、及びビデオディスク管理情報、オーディオ／ビデオシーケンス情報、オブジェクト位置情報、及びタイトルセット位置情報を読み出し、前記オーディオ／ビデオシーケンス情報、オブジェクト位置情報、及びタイトルセット位置情報をバッファメモリに格納する情報読み出し手段と、
前記読み出したオーディオディスク管理情報、及びビデオディスク管理情報を記憶するための記憶手段と、
前記記憶手段に記憶され、ユーザが選択したディスク管理情報の、外部入力を受け付ける外部入力受付手段と、
前記記憶手段にオーディオディスク管理情報およびビデオディスク管理情報が記憶されているか否かを判定する第１の判定手段と、
前記第１の判定手段により前記記憶手段にオーディオディスク管理情報およびビデオディスク管理情報が記憶されている旨が判定された場合に前記外部入力受付手段によりディスク管理情報が当該オーディオディスク管理情報、及びビデオディスク管理情報のいずれかに切り替えられたか否かを判定する第２の判定手段と、
前記外部入力受付手段によりディスク管理情報が当該オーディオディスク管理情報、及びビデオディスク管理情報のいずれかに切り替えられたと判定された場合に、前記外部入力受付手段によって選択されたオーディオディスク管理情報、またはビデオディスク管理情報のいずれかに基づいて、前記光ディスクから必要なオーディオデータ、あるいはビデオデータを読み出し、再生するよう前記情報読み出し手段を制御する制御手段とを備えた、
ことを特徴とする光ディスク再生装置。
【請求項３】
請求項２記載の光ディスク再生装置において、
前記制御手段は、
前記選択されたオーディオディスク管理情報、またはビデオディスク管理情報のいずれかに含まれるタイトルセットの位置を示すタイトルセット位置情報と、前記バッファメモリに記憶しているオーディオまたはビデオデータの再生順序を示すシーケンス情報、及びオーディオまたはビデオデータの光ディスク上での位置を示すオブジェクト位置情報に基づいて、オーディオまたはビデオデータを再生するよう前記読み出し手段を制御するものである、
ことを特徴とする光ディスク再生装置。
【請求項４】
１つ以上のオーディオタイトルセットあるいはビデオタイトルセットと、該オーディオタイトルセットとビデオタイトルセットのタイトルを管理するための、それぞれオーディオディスク管理情報と、ビデオディスク管理情報、並びにオーディオ／ビデオシーケンス情報、オブジェクト位置情報、及びタイトルセット位置情報を同一のメディアに格納した光ディスクを再生する光ディスク再生方法であって、
前記光ディスクより前記オーディオタイトルセットあるいはビデオタイトルセット、オーディオディスク管理情報、及びビデオディスク管理情報、オーディオ／ビデオシーケンス情報、オブジェクト位置情報、及びタイトルセット位置情報を読み出すステップと、
前記読み出したオーディオディスク管理情報、及びビデオディスク管理情報を記憶するステップと、
前記記憶ステップによりオーディオディスク管理情報、及びビデオディスク管理情報の両方が記憶されているか否かを判定するステップと、
前記記憶されたオーディオディスク管理情報、及びビデオディスク管理情報のうち、ユーザが選択したディスク管理情報の外部入力を受け付けるステップと、
前記判定ステップによりオーディオディスク管理情報、及びビデオディスク管理情報の両方が記憶されている旨が判定された場合に、前記外部入力受付ステップによりディスク管理情報が当該オーディオディスク管理情報、及びビデオディスク管理情報のいずれかに切り替え替えられたか否かを判定するステップと、
前記外部入力受付ステップによりディスク管理情報が当該オーディオディスク管理情報、及びビデオディスク管理情報のいずれかに切り替えられたと判定された場合に、前記外部から入力される選択指示信号によって選択されたオーディオディスク管理情報、またはビデオディスク管理情報に基づいて、前記光ディスクから必要なオーディオデータ、あるいはビデオデータを読み出し、再生するステップとを含む、
ことを特徴とする光ディスク再生装置。
【請求項５】
物理構造を規定した物理層、データファイル構造を規定したファイル層、アプリケーション構造を規定したアプリケーション層を有し、共通の物理層とファイル層の上に少なくとも２つ以上のアプリケーション層を有する光ディスクに記録されたデータを再生する光ディスク再生装置において、
前記複数のアプリケーション層における各々の管理情報、並びにアプリケーションに含まれるデータと、シーケンス情報、オブジェクト位置情報、及びタイトルセット位置情報を読み出す情報読み出し手段と、
前記情報読み出し手段によって読み出された前記複数の管理情報を記憶するための記憶手段と、
前記記憶手段に複数の管理情報が記憶されているか否かを判定する第１の判定手段と、
前記記憶手段に記憶された複数の管理情報のうち、ユーザの選択に応じて所望の管理情報を選択する選択手段と、
前記第１の判定手段により前記記憶手段に複数の管理情報が記憶されている旨が判定された場合に前記選択手段により当該複数の管理情報の中から選択が行われたか否かを判定する第２の判定手段と、
前記第２の判定手段により前記複数の管理情報の中から選択が行われたと判定された場合に、前記選択手段によって選択された前記所望の管理情報に基づいて、前記光ディスクから必要なデータを読み出し、再生するよう前記情報読み出し手段を制御する制御手段とを備えた、
ことを特徴とする光ディスク再生装置。
【発明の詳細な説明】
【０００１】
【発明の属する技術分野】
本発明は、デジタル動画像データ、デジタルオーディオデータを含むマルチメディアデータが記録された光ディスクの再生装置、及び再生方法であって、特に異なる複数種類のディスク管理情報を含む光ディスクを用いる再生装置において、ユーザによる、前記複数種類のディスク管理情報の選択を可能にすることにより、前記光ディスクに記録されているすべてのオーディオデータあるいはビデオデータを再生することを可能にする光ディスク再生装置に関するものである。
【０００２】
【従来の技術】
近年、従来のレーザディスクやビデオＣＤに代わって、記録容量が飛躍的に向上したＤＶＤ（Ｄｉｇｉｔａｌ  Ｖｅｒｓａｔｉｌｅ  Ｄｉｓｃ）−Ｖｉｄｅｏが普及し始め、多くの映画タイトルが発売されている。このＤＶＤ−Ｖｉｄｅｏ規格ディスクは、ビデオ再生に重点をおいて規格化されたものであり、多様なオーディオ再生を重視したものでなく、例えば、リニアＰＣＭでサンプリング周波数１９２ＫＨｚ，２４ビット、２チャンネル、７４分以上の再生や、リニアＰＣＭでサンプリング周波数９６ＫＨｚ，２４ビット、６チャンネル、７４分以上の再生などができる規格ではなかった。そこで、多様なオーディオ再生を重視したＤＶＤ規格としてＤＶＤ−Ａｕｄｉｏ規格が制定された。このＤＶＤ−Ａｕｄｉｏ規格は、ＤＶＤ−Ｖｉｄｅｏ規格とＤＶＤ−Ａｕｄｉｏ規格の規格上の関係を示す図６に示すように、物理レイヤー構造とファイルレイヤー構造はＤＶＤ−Ｖｉｄｅｏ規格と同一で、アプリケーションレイヤー構造のみが異なっている。ただ、ＤＶＤ−Ｖｉｄｅｏ規格とＤＶＤ−Ａｕｄｉｏ規格において、アプリケーションレイヤー構造が一部共通な部分がある。図７にＤＶＤ−Ｖｉｄｅｏ規格と、ＤＶＤ−Ａｕｄｉｏ規格の内容の比較を示す（注：ＤＶＤ−Ｖｉｄｅｏ規格Ｖｅｒ．１．０  １９９６／８月発行、ＤＶＤ−Ａｕｄｉｏ規格Ｖｅｒ．１．０  １９９９／３月発行）。
【０００３】
ＤＶＤ規格のデータ構造は、大別してＶｏｌｕｍｅ  ｚｏｎｅ  とＦｉｌｅ  ｚｏｎｅ  に分けられる。Ｖｏｌｕｍｅ  ｚｏｎｅには、Ｆｉｌｅ  ｚｏｎｅにあるファイルの情報が記録されている。Ｆｉｌｅ  ｚｏｎｅには、ビデオデータファイル、オーディオデータファイル、オーディオ・ビデオデータ以外ファイル（例えば、コンピュータデータなど）が記録されている。前記、ビデオデータファイル、オーディオデータファイル、オーディオ・ビデオデータ以外ファイルがＤＶＤ−Ｖｉｄｅｏ  ｚｏｎｅ、  ＤＶＤ−Ａｕｄｉｏ
ｚｏｎｅ，ＤＶＤ−Ｏｔｈｅｒｓ  ｚｏｎｅに相当する。
【０００４】
ＤＶＤ−Ｖｉｄｅｏ規格ディスクのファイルデータ構造を図８に示す。ＤＶＤ−Ｖｏｌｕｍｅ  ｚｏｎｅ８１，ＤＶＤ−Ｖｉｄｅｏ  ｚｏｎｅ８２，ＤＶＤ−Ｏｔｈｅｒｓ  ｚｏｎｅ８３の３つが定義されている。その中で、ＤＶＤ−Ｖｉｄｅｏ  ｚｏｎｅ８２は、１つのビデオディスク管理情報８４（Ｖｉｄｅｏ  Ｍａｎａｇｅｒ：以下ＶＭＧと呼ぶ）と、１つ以上のビデオタイトルセット８５（Ｖｉｄｅｏ  Ｔｉｔｌｅ  Ｓｅｔ：以下ＶＴＳと呼ぶ）とから構成されている。
【０００５】
一方、Ａｕｄｉｏ  ｚｏｎｅとＶｉｄｅｏ  ｚｏｎｅの両者を持つＤＶＤ−Ａｕｄｉｏ規格ディスクのファイルデータ構造を図９に示す。ＤＶＤ−Ｖｏｌｕｍｅ  ｚｏｎｅ９１，  ＤＶＤ−Ａｕｄｉｏ  ｚｏｎｅ９２，  ＤＶＤ−Ｖｉｄｅｏ  ｚｏｎｅ９３，  ＤＶＤ−Ｏｔｈｅｒｓ  ｚｏｎｅ９４の４つが定義されている。その中で、ＤＶＤ−Ａｕｄｉｏ  ｚｏｎｅ９２は、１つのオーディオディスク管理情報９５（Ａｕｄｉｏ  Ｍａｎａｇｅｒ：以下ＡＭＧと呼ぶ）と、１つ以上のオーディオタイトルセット９６（Ａｕｄｉｏ  Ｔｉｔｌｅ  Ｓｅｔ：以下ＡＴＳと呼ぶ）とから構成されている。ＤＶＤ−Ｖｉｄｅｏ  ｚｏｎｅ９３は、１つのビデオディスク管理情報９７（Ｖｉｄｅｏ  Ｍａｎａｇｅｒ：以下ＶＭＧと呼ぶ）と、１つ以上のビデオタイトルセット９８（Ｖｉｄｅｏ  Ｔｉｔｌｅ  Ｓｅｔ：以下ＶＴＳと呼ぶ）とから構成されている。すなわち、ＤＶＤ−Ａｕｄｉｏ規格では、同一のディスク内にＤＶＤ−Ａｕｄｉｏ  ｚｏｎｅ９２とＤＶＤ−Ｖｉｄｅｏ  ｚｏｎｅ９３を同時に有することが可能になっている。ＤＶＤ−Ａｕｄｉｏ  ｚｏｎｅ９２のタイトルを選択する場合は、ＡＴＳ９６（＃１〜＃ｍ）が選択され、ＤＶＤ−Ｖｉｄｅｏ  ｚｏｎｅ９３のタイトルを選択する場合は、ＶＴＳ（＃１〜＃ｎ）９８が選択される。ＤＶＤ−Ｖｉｄｅｏ  ｚｏｎｅ９３の中には、ＶＭＧ９７があるが、ＤＶＤ−Ａｕｄｉｏ規格ディスクとして管理する場合は、ＶＭＧ９７ではなく、ＡＭＧ９５を用いてディスク全体を管理する。このディスクをＤＶＤ−Ｖｉｄｅｏ規格ディスクとして管理する場合はＡＭＧ９５ではなく、ＶＭＧ９７を用いてディスク全体を管理するが、Ａｕｄｉｏ  ｚｏｎｅ９２の再生はできない。
【０００６】
Ａｕｄｉｏ  ｚｏｎｅだけを持つＤＶＤ−Ａｕｄｉｏ規格ディスクのファイルデータ構造を図１０に示す。この場合、Ｖｉｄｅｏ  ｚｏｎｅがないので、ディスク管理情報はＶＭＧではなく、ＡＭＧだけである。
【０００７】
前記の図９のようなＡＴＳとＶＴＳの両方を含むＤＶＤ−Ａｕｄｉｏ規格ディスクにおいて、ＡＭＧを用いて再生する場合を図５、ＶＭＧを用いて再生する場合を図４に示す。まず、図５においてＡＭＧ６０を用いて再生する場合、選択されたタイトルがＡＴＳであるかＶＴＳであるかは、ＡＭＧ６０に含まれるタイトルセットサーチポインタ６６の中にＡｕｄｉｏ  Ｔｉｔｌｅ  Ｃａｔｅｇｏｒｙ情報６７として含まれている。
【０００８】
タイトルセット管理情報６８は、最終的には図５に示すように、下位の階層にオーディオ／ビデオデータの光ディスク上での位置を示すオブジェクト位置情報７５と、オーディオ／ビデオデータの再生順序を示すシーケンス情報７６とを、プログラムチェーン情報７４（Ｐｒｏｇｒａｍ  Ｃｈａｉｎ  Ｉｎｆｏｒｍａｔｉｏｎ：以下ＰＧＣＩと呼ぶ）という形で含んでいる。再生する場合は、タイトルセット管理情報中のＰＧＣＩによって規定されたタイトルセットが再生されることになる。逆に言うと、タイトルセットとしてオーディオ／ビデオデータが存在していても、それを指し示す再生順序がＰＧＣＩで規定されていなければ、再生されないということになる。次に、図４に示すようにＶＭＧ４０を用いて再生する場合、ＶＭＧ４０に含まれるタイトルセットサーチポインタ４５には、ＡＴＳを指し示す情報がなく、すべてＶＴＳ４１を示しているため、選択できるタイトルはＶＴＳだけになる。
【０００９】
ＤＶＤディスクには、ディスク管理情報により次の３種類がある。すなわち、ＶＭＧのディスク管理情報のみを有するＤＶＤ−Ｖｉｄｅｏ規格ディスク、ＡＭＧのディスク管理情報のみを有するＤＶＤ−Ａｕｄｉｏ規格ディスク、ＶＭＧとＡＭＧの両方のディスク管理情報を有するＤＶＤ−Ａｕｄｉｏ規格ディスクである。ＤＶＤ−Ｖｉｄｅｏ規格ディスクでは、ＶＭＧのディスク管理情報に従って再生することになる。ＤＶＤ−Ａｕｄｉｏ規格ディスクでは、ＡＭＧとＶＭＧの両方のディスク管理情報が存在することがあり得るが、再生する場合は、プレーヤの種類により必ずどちらか一方のディスク管理情報を用いて再生することになる。この時、ＶＭＧを用いるとＶＴＳのみが管理対象である。ＡＭＧを用いるとＡＴＳとＶＴＳが管理対象であるが、ＡＭＧではＶＭＧで規定される地域コード管理や、ナビゲーションコマンドが一部定義されていないので、ＡＭＧのディスク管理情報によりＶＴＳ全体が管理対象になるとは限らない。すなわち、図５に示すＡＭＧの管理対象となるＶＴＳ数＃ｎは、図４に示すＶＭＧの管理対象となるＶＴＳ数＃ｐと比べ、等しいか少ない。
【００１０】
この再生方法をプレーヤと組み合わせて考えてみると、図１１のようになる。すなわち、従来のＤＶＤビデオプレーヤ１１１でＶＴＳだけをもつＤＶＤ−Ｖｉｄｅｏ規格ディスク１１２を再生すると、ＶＭＧディスク管理情報に従ってすべてのＶＴＳを再生し、ＡＴＳとＶＴＳが混在しＡＭＧとＶＭＧの両者を持つＤＶＤ−Ａｕｄｉｏ規格ディスク１１４を再生すると、同様にＶＭＧのディスク管理情報に従って再生することになるので、ＡＴＳを除いたすべてのＶＴＳだけを再生することとなる。一方、ＤＶＤユニバーサルプレーヤ１１３で、ＡＭＧとＶＭＧの両者を持つＤＶＤ−Ａｕｄｉｏ規格ディスク１１４を再生すると、ＡＭＧのディスク管理情報に従って再生するので、ＡＴＳとＶＴＳの一部を再生することになる。この関係を図１２に表にして示す。
【００１１】
【発明が解決しようとする課題】
もし、ＤＶＤ−Ｖｉｄｅｏ規格ディスク１１２とＤＶＤ−Ａｕｄｉｏ規格ディスク１１６、及びＡＴＳとＶＴＳの混在したＤＶＤ−Ａｕｄｉｏ規格ディスク１１４のすべてが再生可能なＤＶＤユニバーサルプレーヤ１１３を設計しても、ＤＶＤ−Ｖｉｄｅｏ規格ディスク１１２ではＶＭＧを用い、ＤＶＤ−Ａｕｄｉｏ規格ディスク１１４，１１６ではＡＭＧを用いてタイトルを再生するように定義されているため、下記の課題が存在する。すなわち、ＶＭＧを用いてディスク１１２のＶＴＳを、ＡＭＧを用いてディスク１１６のＡＴＳを、それぞれすべて再生することはできるが、ＡＭＧを用いてディスク１１４を再生する場合においては、ＡＴＳとＶＴＳの一部のみだけ再生できるが、ＶＴＳのすべては再生できない可能性があるのである。
【００１２】
すなわち、ＤＶＤユニバーサルプレーヤと言ってもディスクの種類によって、再生できないＶＴＳが残ってしまう。このようなユニバーサルな光ディスク再生装置においては、ＶＭＧとＡＭＧの両方を含むＤＶＤ−Ａｕｄｉｏ規格ディスクを再生した場合でも、すべてのＡＴＳとＶＴＳが再生できることが要求されている。
【００１３】
そこで、本発明は、ＶＭＧとＡＭＧといった、異なる複数種類のディスク管理情報を含むＤＶＤ−Ａｕｄｉｏ規格ディスクを再生した場合でも、すべてのＡＴＳとＶＴＳを再生可能な光ディスク再生装置（ＤＶＤユニバーサルプレーヤ）を提供することを目的としてなされたものである。
【００１４】
【課題を解決するための手段】
この課題を解決するために、本発明の請求項１にかかる光ディスク再生装置は、１つ以上のオーディオタイトルセットあるいはビデオタイトルセットを格納するオーディオ／ビデオデータ格納領域と、オーディオ／ビデオシーケンスを構成する所定個所のオーディオ／ビデオデータの、再生順序を示す、オーディオ／ビデオシーケンス情報、及びオーディオ／ビデオデータの光ディスク上での位置を示すオブジェクト位置情報を格納するタイトルセット管理情報格納領域と、前記タイトルセットの光ディスク上での位置を示すタイトルセット位置情報、及びディスク全体を管理するディスク管理情報を格納するディスク管理情報格納領域とをそれぞれ１つ以上有する光ディスクの再生装置であって、前記再生装置は、前記光ディスクから前記オーディオ／ビデオデータと、前記オーディオ／ビデオシーケンス情報、前記オブジェクト位置情報、前記タイトルセット位置情報、及び前記ディスク管理情報を読み出す読み出し手段と、前記読み出し手段を制御する制御手段と、前記１種類あるいは複数種類のディスク管理情報格納領域から得られたディスク管理情報を記憶する記憶手段と、前記１種類あるいは複数種類のディスク管理情報格納領域から得られた複数種類のディスク管理情報のうち、ユーザが選択したディスク管理情報の外部入力を受け付ける外部入力受付手段と、前記記憶手段に複数種類のディスク管理情報が記憶されているか否かを判定する第１の判定手段と、前記第１の判定手段により前記記憶手段に複数種類のディスク管理情報が記憶されている旨が判定された場合に前記外部入力受付手段により当該複数種類のディスク管理情報の中から選択が行われたか否かを判定する第２の判定手段とを備えており、前記制御手段は、前記オーディオ／ビデオシーケンス情報、前記オブジェクト位置情報、前記タイトルセット位置情報、及び前記ディスク管理情報を光ディスクから読み出させ、前記ディスク管理情報、前記タイトルセット位置情報、前記オーディオ／ビデオシーケンス情報、及び前記オブジェクト位置情報に従い、前記オーディオ／ビデオデータを順次再生するよう前記読み出し手段を制御し、前記記憶手段に複数種類のディスク管理情報が記憶されていると判定されるとともに前記複数種類のディスク管理情報の内１つを選択する指示があった場合に、その指示に従ってディスク管理情報を選択し、該ディスク管理情報に含まれるタイトルセット位置情報と、シーケンス情報、及びオブジェクト位置情報に基づいてオーディオデータあるいはビデオデータを再生するようにしたものである。
【００１５】
また、本発明の請求項２にかかる光ディスク再生装置は、１つ以上のオーディオタイトルセットあるいはビデオタイトルセットと、該オーディオタイトルセットあるいはビデオタイトルセットのタイトル全体を管理するための、それぞれオーディオディスク情報と、ビデオディスク管理情報、並びにオーディオ／ビデオシーケンス情報、オブジェクト位置情報、及びタイトルセット位置情報を同一のメディアに格納した光ディスクを再生する光ディスク再生装置であって、前記光ディスクより前記オーディオタイトルセットあるいはビデオタイトルセット、オーディオディスク管理情報、及びビデオディスク管理情報、オーディオ／ビデオシーケンス情報、オブジェクト位置情報、及びタイトルセット位置情報を読み出し、前記オーディオ／ビデオシーケンス情報、オブジェクト位置情報、及びタイトルセット位置情報をバッファメモリに格納する情報読み出し手段と、前記読み出したオーディオディスク管理情報、及びビデオディスク管理情報を記憶するための記憶手段と、前記記憶手段に記憶され、ユーザが選択したディスク管理情報の、外部入力を受け付ける外部入力受付手段と、前記記憶手段にオーディオディスク管理情報およびビデオディスク管理情報が記憶されているか否かを判定する第１の判定手段と、前記第１の判定手段により前記記憶手段にオーディオディスク管理情報およびビデオディスク管理情報が記憶されている旨が判定された場合に前記外部入力受付手段によりディスク管理情報が当該オーディオディスク管理情報、及びビデオディスク管理情報のいずれかに切り替えられたか否かを判定する第２の判定手段と、前記外部入力受付手段によりディスク管理情報が当該オーディオディスク管理情報、及びビデオディスク管理情報のいずれかに切り替えられたと判定された場合に、前記外部入力受付手段によって選択されたオーディオディスク管理情報、またはビデオディスク管理情報のいずれかに基づいて、前記光ディスクから必要なオーディオデータ、あるいはビデオデータを読み出し、再生するよう前記情報読み出し手段を制御する制御手段とを備えたものである。
【００１６】
また、本発明の請求項３にかかる光ディスク再生装置は、前記請求項２記載の光ディスク再生装置において、前記制御手段は、前記選択されたオーディオディスク管理情報、またはビデオディスク管理情報に含まれるタイトルセットの位置を示すタイトルセット位置情報と、前記バッファメモリに記憶しているオーディオまたはビデオデータの再生順序を示すシーケンス情報、及びオーディオまたはビデオデータの光ディスク上での位置を示すオブジェクト位置情報に基づいて、オーディオまたはビデオデータを再生するよう前記読み出し手段を制御するようにしたものである。
【００１７】
また、本発明の請求項４にかかる光ディスク再生方法は、１つ以上のオーディオタイトルセットあるいはビデオタイトルセットと、該オーディオタイトルセットとビデオタイトルセットのタイトルを管理するための、それぞれオーディオディスク管理情報と、ビデオディスク管理情報、並びにオーディオ／ビデオシーケンス情報、オブジェクト位置情報、及びタイトルセット位置情報を同一のメディアに格納した光ディスクを再生する光ディスク再生方法であって、前記光ディスクより前記オーディオタイトルセットあるいはビデオタイトルセット、オーディオディスク管理情報、及びビデオディスク管理情報、オーディオ／ビデオシーケンス情報、オブジェクト位置情報、及びタイトルセット位置情報を読み出すステップと、前記読み出したオーディオディスク管理情報、及びビデオディスク管理情報を記憶するステップと、前記記憶ステップによりオーディオディスク管理情報、及びビデオディスク管理情報の両方が記憶されているか否かを判定するステップと、前記記憶されたオーディオディスク管理情報、及びビデオディスク管理情報のうち、ユーザが選択したディスク管理情報の外部入力を受け付けるステップと、前記判定ステップによりオーディオディスク管理情報、及びビデオディスク管理情報の両方が記憶されている旨が判定された場合に、前記外部入力受付ステップによりディスク管理情報が当該オーディオディスク管理情報、及びビデオディスク管理情報のいずれかに切り替え替えられたか否かを判定するステップと、前記外部入力受付ステップによりディスク管理情報が当該オーディオディスク管理情報、及びビデオディスク管理情報のいずれかに切り替えられたと判定された場合に、前記外部から入力される選択指示信号によって選択されたオーディオディスク管理情報、またはビデオディスク管理情報に基づいて、前記光ディスクから必要なオーディオデータ、あるいはビデオデータを読み出し、再生するステップとを含むものである。
【００１８】
また、本発明の請求項５にかかる光ディスク再生装置は、物理構造を規定した物理層、データファイル構造を規定したファイル層、アプリケーション構造を規定したアプリケーション層を有し、共通の物理層とファイル層の上に少なくとも２つ以上のアプリケーション層を有する光ディスクに記録されたデータを再生する光ディスク再生装置において、前記複数のアプリケーション層における各々の管理情報、並びにアプリケーションに含まれるデータと、シーケンス情報、オブジェクト位置情報、及びタイトルセット位置情報を読み出す情報読み出し手段と、前記情報読み出し手段によって読み出された前記複数の管理情報を記憶するための記憶手段と、前記記憶手段に複数の管理情報が記憶されているか否かを判定する第１の判定手段と、前記記憶手段に記憶された複数の管理情報のうち、ユーザの選択に応じて所望の管理情報を選択する選択手段と、前記第１の判定手段により前記記憶手段に複数の管理情報が記憶されている旨が判定された場合に前記選択手段により当該複数の管理情報の中から選択が行われたか否かを判定する第２の判定手段と、前記第２の判定手段により前記複数の管理情報の中から選択が行われたと判定された場合に前記選択手段によって選択された前記所望の管理情報に基づいて、前記光ディスクから必要なデータを読み出し、再生するよう前記情報読み出し手段を制御する制御手段とを備えたものである。
【００１９】
【発明の実施の形態】
以下、本発明の実施の形態について、図１から図５を用いて説明する。
（実施の形態１）
図１は本発明の第１の実施の形態における光ディスク再生装置の全体構成ブロック図である。図１において、１は光ディスク２０を回転させるスピンドルモータ、２は前記光ディスク２０に記録された信号を読み取る光ピックアップ、３は前記スピンドルモータ１と前記光ピックアップ２を制御する機構制御部、４は前記光ピックアップ２の信号からデジタル信号を復調する信号処理部、５は前記信号処理部４から後述するシステム制御部１７、及びバッファメモリ１６を経由して得られるビデオデータ及びオーディオデータをデコードするＡＶデコーダ部である。ＡＶデコーダ部５は、システムデコーダ６、ビデオデコーダ７、副映像デコーダ８、オーディオデコーダ９、映像合成部１０から構成される。１１はＤＶＤ−Ａｕｄｉｏ規格ディスクにおいて記録されている静止画データを記憶する静止画データ記憶部、１２はビデオディスク管理情報を記憶するビデオディスク管理情報記憶部、１３はオーディオディスク管理情報を記憶するオーディオディスク管理情報記憶部、１４はリモコン送信機、１５はリモコン信号を受信するリモコン受光部、１６は信号処理部４から後述するシステム制御部１７を経由して一時的にデータを保存するバッファメモリ、１７はリモコン受光部１５の信号を受け、機構制御部３、信号処理部４、バッファメモリ１６，静止画データ記憶部１１、ＡＶデコーダ５、ビデオディスク管理情報記憶部１２，オーディオディスク管理情報記憶部１３を制御するシステム制御部である。
【００２０】
機構制御部３は、ディスクを駆動するスピンドルモータ１及びディスクに記録された信号を読み出す光ピックアップ２を含む機構系を制御する。具体的には、機構制御部３は、システム制御部１７から指示されたトラック位置情報に応じてスピンドルモータ速度制御を行うと同時に、光ピックアップ２のアクチュエータを制御しピックアップ位置の移動を行い、サーボ制御により正確なトラックを検出すると、所望の物理セクタが記録されている所まで回転待ちを行い、所望の位置から連続して信号を読み出す。
【００２１】
信号処理部４は、光ピックアップ２から読み出された信号に対し、増幅、波形整形、二値化、復調、エラー訂正などの信号処理を行い、バッファメモリ１６に論理ブロック単位に格納する。システム制御部１７は、バッファメモリ１６に格納されたデータを読み出し、前記データがビデオディスク管理情報であれば、ビデオディスク管理情報記憶部１２に格納される。もし、前記ディスク管理情報がオーディオディスク管理情報であれば、オーディオディスク管理情報記憶部１３に格納される。前記のバッファメモリ１６から読み出されたデータが静止画データであれば、静止画データ記憶部１１に格納される。同様に、前記バッファメモリ１６から読み出されたデータがタイトルセット管理情報格納領域のデータである場合は、システム制御部１７がオーディオ／ビデオシーケンス情報とオブジェクト位置情報を読み出し、オーディオ／ビデオデータはシステムデコーダ６に転送する。
【００２２】
ＡＶデコーダ部５は、信号処理されたオーディオ／ビデオデータを元のビデオ信号やオーディオ信号に変換する。
【００２３】
システムデコーダ６は、バッファメモリ１６からシステム制御部１７を介してパケット単位で転送されてきたオーディオ／ビデオデータに含まれるストリームＩＤ、サブストリームＩＤ情報から判別して、ビデオデータをビデオデコーダ７に、副映像データを副映像デコーダ８に、オーディオデータをオーディオデコーダ９に出力する。また、システム制御部１７が静止画データ記憶部１１からシステムデコーダ６に静止画データを入力すると、前記静止画データはビデオデータとしてビデオデコーダ７に出力される。
【００２４】
ビデオデコーダ７は、システムデコーダ６から入力されるビデオデータを解読、伸張してデジタルビデオ信号として映像合成部１０に出力する。
【００２５】
副映像デコーダ８は、システムデコーダ６から入力される副映像データがランレングス圧縮されたイメージデータである場合には、それを解読、伸張してビデオ信号と同一形式で映像合成部１０に出力する。
【００２６】
オーディオデコーダ９は、システムデコーダ６から入力されるオーディオデータを解読、伸張してデジタルオーディオ信号として出力する。前記デジタルオーディオ信号は、図示しない回路で、アナログオーディオ信号に変換された後に、ディスプレイ装置のオーディオ入力、あるいはオーディオアンプに入力される。
【００２７】
映像合成部１０は、ビデオデコーダ７の出力と副映像デコーダ８の出力をシステム制御部１７に指示された比率で混合したデジタルビデオ信号を出力する。このビデオ信号は、図示しない回路で、アナログビデオ信号に変換された後に、ディスプレイ装置のビデオ入力に入力される。
【００２８】
リモコン１４はユーザ操作による再生制御指示を受け付ける。図２にリモコン１４のキー配列の一例を示す。“メニュー”キー２１は、ディスク再生中において表示させる、複数メニュー項目（タイトル）を一覧形式に表示している全体メニューの呼び出し用である。“テン”キー２２、及び“方向”キー２３は、表示されたメニュー項目の選択用である。“エンター”キー２４は、選択した項目の確定用である。“ＡＭＧ／ＶＭＧ”キー２５は、ディスク管理情報切換用である。また、ユーザは、前記“テン”キー２２、及び“方向”キー２３により、前記表示された全体メニューの中から所望のタイトルを選択する。
【００２９】
リモコン受光部１５は、リモコン１４のキーが押されることにより送信される赤外線キー信号を受信し、キーデータをシステム制御部１７に送信する。
バッファメモリ１６は、信号処理部４からシステム制御部１７を経由して入力したデータを一時的に保存する。
【００３０】
システム制御部１７は、図示しないが、システム制御部としての機能を実現するためのプログラムを記憶するプログラムメモリと、そのプログラムを実行するプロセッサと、汎用レジスタ、タイマにより構成され、光ディスク再生装置全体の制御を行う。具体的には、信号処理部４から転送されたデータをバッファメモリ１６に格納し、バッファメモリ１６からデータを読み出して、その読み出されたデータの種別に基づいて制御する。すなわち、読み出されたデータがディスク管理情報である場合は、そのデータをビデオディスク管理情報記憶部１２、あるいはオーディオディスク管理情報記憶部１３に格納して、その内容に基づいて制御を行う。また、オーディオ／ビデオシーケンス情報、あるいはオブジェクト位置情報などのタイトルセット管理情報である場合は、その内容に基づいて制御を行い、オーディオ／ビデオデータである場合は、バッファメモリ１６からそのオーディオ／ビデオデータをＡＶデコーダ部５に転送し、ＤＶＤ−Ａｕｄｉｏ規格ディスクの静止画データである場合は、そのデータは静止画データ記憶部１１に格納される。機構制御部３に対しては、次に読み出すべき論理ブロックがディスク上のどのトラックに相当するかを計算し、トラック位置を指定して機構制御部３にブロック読み出し制御を指示する。また、リモコン受光部１５からの受信信号を受けて、押されたキーに対応するデータコードに変換して、キーに応じた再生制御を行う。
【００３１】
以上のように構成された光ディスク再生装置について、以下その動作について説明する。
図３は、システム制御部１７の処理内容を示すフローチャートである。
まず、システム制御部１７は、ディスクが再生装置に装着されたことを検出すると（ステップ３１）、機構制御部３及び信号処理部４を制御することにより、安定なデータ読み出しができるようにディスクの回転制御を行い、安定なデータ読み出しができるようになったら、Ｖｏｌｕｍｅ  ｚｏｎｅに光ピックアップを移動させ、Ｖｏｌｕｍｅ  ｚｏｎｅに記録されているＦｉｌｅ  ｚｏｎｅのファイル情報を読み出す。その読み出されたファイル情報に基づいてディスク管理情報を読み出し、ビデオディスク管理情報であればビデオディスク管理情報記憶部１２にデータを格納して処理を終了する。もし、オーディオディスク管理情報であれば、まず、オーディオディスク管理情報記憶部１３にデータを格納した後、さらに、ビデオディスク管理情報を検索し、ビデオディスク管理情報があれば、これを読み出してビデオディスク管理情報記憶部１２にデータを格納する（ステップ３２）。次に、ディスク管理情報記憶部１２，１３にビデオディスク管理情報（以下ＶＭＧと呼ぶ）と、オーディオディスク管理情報（以下ＡＭＧと呼ぶ）とが格納されているかを判断し、もしＶＭＧとＡＭＧの両方のディスク管理情報がある場合は、ユーザがディスク管理情報を切り換えたか否かを確認する（ステップ３３，３４）。ディスク管理情報がＡＭＧの場合は、オーディオディスク管理情報をオーディオディスク管理情報記憶部１３から読み出す（ステップ３５，３６）。一方、ディスク管理情報がＶＭＧの場合は、ビデオディスク管理情報をビデオディスク管理情報記憶部１２から読み出す（ステップ３７）。
【００３２】
ディスク管理情報として、ＡＭＧが選択されている場合は、ユーザが所望するタイトルを選択すれば（ステップ３８）、システム制御部１７は、ディスク管理情報の中のタイトルセットサーチポインタ情報に従って選択されたタイトルがオーディオタイトルセット（以下ＡＴＳと呼ぶ）かビデオタイトルセット（以下ＶＴＳと呼ぶ）かを判断する（ステップ３９）。もし、ＡＴＳであるならば、システム制御部１７は、選択されたタイトルを含むＡＴＳ内のオーディオタイトルセット管理情報、及びその属性テーブル（オーディオタイトルセット管理テーブル、プログラムチェーン情報テーブル）を読み出して、システム制御部１７に保持し（ステップ４０）、オーディオタイトルの先頭のプログラムチェーンに分岐する（ステップ４１）。さらに、このプログラムチェーン群を再生し、再生を終了すると、ステップ３３に戻る（ステップ４２）。一方、もし選択されたタイトルがＶＴＳであるならば、システム制御部１７は、選択されたタイトルを含むＶＴＳ内のビデオタイトルセット管理情報、及びその属性テーブルを読み出して、システム制御部１７に保持し（ステップ４４）、ビデオタイトルの先頭のプログラムチェーンに分岐する（ステップ４５）。さらに、このプログラムチェーン群を再生し、再生を終了すると、ステップ３３に戻る（ステップ４６）。
【００３３】
一方、ディスク管理情報としてＶＭＧが選択されている場合は、ユーザが所望するタイトルを選択すれば（ステップ４３）、後の動作は、前記のようにＡＭＧからＶＴＳ再生する場合と同等である。
【００３４】
ＡＴＳとＶＴＳとが混在したＤＶＤ−Ａｕｄｉｏ規格ディスクを、ＶＭＧとＡＭＧとを用いてそれぞれ管理した、管理ファイル構造について、図４、図５を用いて説明する。
【００３５】
図４はＤＶＤ−Ａｕｄｉｏ規格のＤＶＤ−Ｖｉｄｅｏ  ｚｏｎｅ中のファイル構造を示している。該ファイル構造は、１つのビデオディスク管理情報（ＶＭＧ）と、１つ以上のビデオタイトルセット（ＶＴＳ）とから構成されている。４０は、ビデオタイトル全体の管理情報を含むビデオディスク管理情報（ＶＭＧ）、４１は、１つ以上のビデオタイトルセットが集まった集合としてのビデオタイトルセット集（ＶＴＳ）である。前記ＶＭＧ４０の中で、４２は、ビデオマネージャ情報管理テーブル４３とタイトルセットサーチポインタテーブル４４とが含まれるビデオマネージャ（ＶＭＧＩ）、４３は各タイトルセットサーチポインタの先頭アドレスを含むビデオマネージャ情報管理テーブル、４４は各タイトルのタイトルセットサーチポインタデータを含むタイトルセットサーチポインタテーブル、４５はタイトルセット位置情報で、ＶＴＳにおけるビデオタイトルセットの管理アドレスを示すタイトルセットサーチポインタ、４６は１つのＶＴＳのビデオタイトルセット管理テーブル４８と、プログラムチェーン情報管理テーブル４９とを含むビデオタイトルセット管理情報、４７はビデオタイトルの実体であるビデオタイトルセット、４８は各プログラムチェーン情報の先頭アドレスを含むビデオタイトルセット管理テーブル、４９はビデオタイトルセットプログラムチェーン管理テーブル５０と、プログラムチェーン情報サーチポインタ５１と、プログラムチェーン情報５２とを含むプログラムチェーン情報テーブル、５０は各プログラムチェーン情報サーチポインタの先頭アドレスを含むビデオタイトルセットプログラムチェーン管理テーブル、５１は各プログラムチェーン情報の管理アドレスを示すプログラムチェーン情報サーチポインタ、５２はオブジェクト位置情報とシーケンス情報を含むプログラムチェーン情報、５３はタイトルのディスク上での位置を示すオブジェクト位置情報、５４はタイトルの再生順序を示すシーケンス情報である。
【００３６】
ユーザがタイトルを選択すると、ＶＭＧ４０の中のタイトルセットサーチポインタ４５が選択される。システム制御部１７は、選択されたタイトルセットサーチポインタ４５から対応するビデオタイトルセット管理情報４６のアドレスを読み出し、プログラムチェーン情報テーブル４９からプログラムチェーン情報５２を検索し、再生順序をシーケンス情報５４としてシステム制御部１７の中に格納して、ディスク上のオブジェクト位置情報５３を得て、機構制御部３及び信号処理部４を制御することにより、目的のオブジェクト位置に光ピックアップを移動させ、目的のＶＴＳ再生を行う。基本的にＶＭＧからすべてのビデオタイトルセットＶＴＳ＃１〜＃ｐを指定することが可能である。
【００３７】
図５は、ＡＭＧを用いて管理した、ＤＶＤ−Ａｕｄｉｏ  ｚｏｎｅとＤＶＤ−Ｖｉｄｅｏ  ｚｏｎｅを有する、ＤＶＤ−Ａｕｄｉｏ規格の管理ファイル構造を示している。この場合、１つのオーディオディスク管理情報（ＡＭＧ）と、１つ以上のオーディオタイトルセット（ＡＴＳ）と、１つ以上のビデオタイトルセット（ＶＴＳ）とから構成されている。ＤＶＤ−Ｖｉｄｅｏ  ｚｏｎｅにはＶＭＧがあるが、ＡＭＧを用いて管理した場合にＶＭＧを利用することはないため、ＶＭＧの記載は省略する。６０は、タイトル全体の管理情報を含むオーディオディスク管理情報（ＡＭＧ）、６１は複数のオーディオタイトルセットが集まった集合としてのオーディオタイトルセット集（ＡＴＳ）、６２は複数のビデオタイトルセットが集まった集合としてのビデオタイトルセット集（ＶＴＳ）である。６３はオーディオマネージャ情報管理テーブル６４と、タイトルセットサーチポインターテーブル６５とが含まれるオーディオマネージャ（ＡＭＧＩ）、６４は各タイトルサーチポインタの先頭アドレスを含むオーディオマネージャ情報管理テーブル、６５は各タイトルのタイトルセットサーチポインタデータを含むタイトルセットサーチポインタテーブル、６６はタイトルセット位置情報で、ＡＴＳ及びＶＴＳにおける各タイトルセットの管理アドレスを示すタイトルセットサーチポインタ、６７は前記タイトルセットサーチポインタ６６に含まれ、そのタイトルがＡＴＳかＶＴＳを示すＡｕｄｉｏ  Ｔｉｔｌｅ  Ｃａｔｅｇｏｒｙ、６８は１つのＡＴＳのオーディオタイトルセット管理テーブル７０と、プログラムチェーン情報テーブル７１とを含むオーディオタイトルセット管理情報、６９はオーディオタイトルの実体であるオーディオタイトルセット、７０は各プログラムチェーン情報の先頭アドレスを含むオーディオタイトルセット管理テーブル、７１はオーディオタイトルセットプログラムチェーン管理テーブル７２と、プログラムチェーン情報サーチポインタ７３と、プログラムチェーン情報７４とを含むプログラムチェーン情報テーブル、７２は各プログラムチェーン情報サーチポインタの先頭アドレスを含むオーディオタイトルセットプログラムチェーン管理テーブル、７３は各プログラムチェーン情報の管理アドレスを示す各プログラムチェーン情報サーチポインタ、７４はオブジェクト位置情報とシーケンス情報を含むプログラムチェーン情報、７５はタイトルのディスク上での位置を示すオブジェクト位置情報、７６はタイトルの再生順序を示すシーケンス情報である。ＶＴＳについては、図４と同一であるので、説明を省く。
【００３８】
ユーザがタイトルを選択すると、ＡＭＧ６０の中のタイトルセットサーチポインタ６６が選択される。システム制御部１７は、選択されたタイトルセットサーチポインタ６６に含まれるＡＴＳ／ＶＴＳ選択情報６７を読み込んで、ＡＴＳあるいはＶＴＳを選択する。そして、タイトルセットサーチポインタ６６から対応するオーディオ、あるいは、オーディオタイトルセット管理情報６８のアドレスを読み出し、プログラムチェーン情報テーブル７１からプログラムチェーン情報７４を検索し、再生順序をシーケンス情報７６としてシステム制御部１７の中に格納して、ディスク上のオブジェクト位置情報７５を得て、機構制御部３及び信号処理部４を制御することにより、目的のオブジェクト位置に光ピックアップを移動させ、目的のＡＴＳあるいはＶＴＳ再生を行う。この時、ＡＭＧ６０からすべてのビデオタイトルセットＶＴＳを再生できない可能性がある。というのは、ＡＭＧ６０ではＶＭＧで規定される地域コード管理やナビゲーションコマンドが一部定義されていないので、ＡＭＧ６０のディスク管理情報によりＶＴＳ全体が管理対象になるとは限らない。従って、図４と図５において、ディスクは同一であるが、ＡＭＧから管理可能なＶＴＳ数はＶＭＧから管理可能なＶＴＳ数と比べ、等しいか、あるいは少なくなる。
【００３９】
ＤＶＤ−Ａｕｄｉｏ規格でＤＶＤ−Ａｕｄｉｏ  ｚｏｎｅだけを有する場合は、ＡＭＧからのＡＴＳを管理するだけである。
【００４０】
以上のように本実施の形態１によれば、ＡＭＧとＶＭＧの各々を記憶しておく記憶手段と、外部入力に応じて前記記憶されたＡＭＧとＶＭＧのいずれか選択する選択手段とを備えた構成としたので、ＡＭＧとＶＭＧの両者を持つＤＶＤ−Ａｕｄｉｏ規格ディスクを再生した場合でも、すべてのＡＴＳとＶＴＳを再生可能な光ディスク再生装置（ＤＶＤユニバーサルプレーヤ）を提供することができることとなる。
【００４１】
さらに本実施の形態１では、ＤＶＤ光ディスクを再生する場合についてのみ説明したが、本発明は、ＤＶＤ光ディスク以外でも、光ディスクが、図１３に示すように、物理構造を規定した物理層１３０、データファイル構造を規定したファイル層１３１、アプリケーション構造を規定したアプリケーション層１３２を有し、共通の物理層とファイル層の上に少なくとも２つ以上のアプリケーション層（１３２ａ，１３２ｂ）を有する光ディスクであれば適用でき、記憶手段がそれぞれのアプリケーションの管理情報を記憶し、選択手段が外部入力に応じてそれぞれの管理情報のいずれかを選択できる構成とすることにより、前記少なくとも２つ以上のアプリケーション層を有する光ディスクでもユーザの選択に応じて再生することができる。
【００４２】
【発明の効果】
以上のように、本発明の請求項１にかかる光ディスク再生装置によれば、１つ以上のオーディオタイトルセットあるいはビデオタイトルセットを格納するオーディオ／ビデオデータ格納領域と、オーディオ／ビデオシーケンスを構成する所定個所のオーディオ／ビデオデータの、再生順序を示す、オーディオ／ビデオシーケンス情報、及びオーディオ／ビデオデータの光ディスク上での位置を示すオブジェクト位置情報を格納するタイトルセット管理情報格納領域と、前記タイトルセットの光ディスク上での位置を示すタイトルセット位置情報、及びディスク全体を管理するディスク管理情報を格納するディスク管理情報格納領域とをそれぞれ１つ以上有する光ディスクの再生装置であって、前記再生装置は、前記光ディスクから前記オーディオ／ビデオデータと、前記オーディオ／ビデオシーケンス情報、前記オブジェクト位置情報、前記タイトルセット位置情報、及び前記ディスク管理情報を読み出す読み出し手段と、前記読み出し手段を制御する制御手段と、前記１種類あるいは複数種類のディスク管理情報格納領域から得られたディスク管理情報を記憶する記憶手段と、前記１種類あるいは複数種類のディスク管理情報格納領域から得られた複数種類のディスク管理情報のうち、ユーザが選択したディスク管理情報の外部入力を受け付ける外部入力受付手段と、前記記憶手段に複数種類のディスク管理情報が記憶されているか否かを判定する第１の判定手段と、前記第１の判定手段により前記記憶手段に複数種類のディスク管理情報が記憶されている旨が判定された場合に前記外部入力受付手段により当該複数種類のディスク管理情報の中から選択が行われたか否かを判定する第２の判定手段とを備えており、前記制御手段は、前記オーディオ／ビデオシーケンス情報、前記オブジェクト位置情報、前記タイトルセット位置情報、及び前記ディスク管理情報を光ディスクから読み出させ、前記ディスク管理情報、前記タイトルセット位置情報、前記オーディオ／ビデオシーケンス情報、及び前記オブジェクト位置情報に従い、前記オーディオ／ビデオデータを順次再生するよう前記読み出し手段を制御し、前記記憶手段に複数種類のディスク管理情報が記憶されていると判定されるとともに前記複数種類のディスク管理情報の内１つを選択する指示があった場合に、その指示に従ってディスク管理情報を選択し、該ディスク管理情報に含まれるタイトルセット位置情報と、シーケンス情報、及びオブジェクト位置情報に基づいてオーディオデータあるいはビデオデータを再生するものとしたので、ＶＭＧとＡＭＧの両方を含むＤＶＤ−Ａｕｄｉｏ規格ディスクを再生した場合でも、ユーザがプレーヤのディスク管理情報をＡＭＧとＶＭＧに任意に切り換えることができることにより、すべてのＡＴＳとＶＴＳを再生可能な光ディスク再生装置（ＤＶＤユニバーサルプレーヤ）を実現できる、という効果が得られる。
【００４３】
また、本発明の請求項２にかかる光ディスク再生装置によれば、１つ以上のオーディオタイトルセットあるいはビデオタイトルセットと、該オーディオタイトルセットあるいはビデオタイトルセットのタイトル全体を管理するための、それぞれオーディオディスク情報と、ビデオディスク管理情報、並びにオーディオ／ビデオシーケンス情報、オブジェクト位置情報、及びタイトルセット位置情報を同一のメディアに格納した光ディスクを再生する光ディスク再生装置であって、前記光ディスクより前記オーディオタイトルセットあるいはビデオタイトルセット、オーディオディスク管理情報、及びビデオディスク管理情報、オーディオ／ビデオシーケンス情報、オブジェクト位置情報、及びタイトルセット位置情報を読み出し、前記オーディオ／ビデオシーケンス情報、オブジェクト位置情報、及びタイトルセット位置情報をバッファメモリに格納する情報読み出し手段と、前記読み出したオーディオディスク管理情報、及びビデオディスク管理情報を記憶するための記憶手段と、前記記憶手段に記憶され、ユーザが選択したディスク管理情報の、外部入力を受け付ける外部入力受付手段と、前記記憶手段にオーディオディスク管理情報およびビデオディスク管理情報が記憶されているか否かを判定する第１の判定手段と、前記第１の判定手段により前記記憶手段にオーディオディスク管理情報およびビデオディスク管理情報が記憶されている旨が判定された場合に前記外部入力受付手段によりディスク管理情報が当該オーディオディスク管理情報、及びビデオディスク管理情報のいずれかに切り替えられたか否かを判定する第２の判定手段と、前記外部入力受付手段によりディスク管理情報が当該オーディオディスク管理情報、及びビデオディスク管理情報のいずれかに切り替えられたと判定された場合に、前記外部入力受付手段によって選択されたオーディオディスク管理情報、またはビデオディスク管理情報のいずれかに基づいて、前記光ディスクから必要なオーディオデータ、あるいはビデオデータを読み出し、再生するよう前記情報読み出し手段を制御する制御手段とを備えたものとしたので、すべてのＡＴＳとＶＴＳを再生可能な光ディスク再生装置（ＤＶＤユニバーサルプレーヤ）を実現できる、という効果が得られる。
【００４４】
また、本発明の請求項３にかかる光ディスク再生装置によれば、請求項２記載の光ディスク再生装置において、前記制御手段は、前記選択されたオーディオディスク管理情報、またはビデオディスク管理情報のいずれかに含まれるタイトルセットの位置を示すタイトルセット位置情報と、オーディオまたはビデオデータの再生順序を示すシーケンス情報、及びオーディオまたはビデオデータの光ディスク上での位置を示すオブジェクト位置情報に基づいて、オーディオまたはビデオデータを再生するよう前記読み出し手段を制御するものとしたので、選択されたタイトルセットのデータを任意に再生することができる、という効果がある。
【００４５】
また、本発明の請求項４にかかる光ディスク再生方法によれば、１つ以上のオーディオタイトルセットあるいはビデオタイトルセットと、該オーディオタイトルセットとビデオタイトルセットのタイトルを管理するための、それぞれオーディオディスク管理情報と、ビデオディスク管理情報、並びにオーディオ／ビデオシーケンス情報、オブジェクト位置情報、及びタイトルセット位置情報を同一のメディアに格納した光ディスクを再生する光ディスク再生方法であって、前記光ディスクより前記オーディオタイトルセットあるいはビデオタイトルセット、オーディオディスク管理情報、及びビデオディスク管理情報、オーディオ／ビデオシーケンス情報、オブジェクト位置情報、及びタイトルセット位置情報を読み出すステップと、前記読み出したオーディオディスク管理情報、及びビデオディスク管理情報を記憶するステップと、前記記憶ステップによりオーディオディスク管理情報、及びビデオディスク管理情報の両方が記憶されているか否かを判定するステップと、前記記憶されたオーディオディスク管理情報、及びビデオディスク管理情報のうち、ユーザが選択したディスク管理情報の外部入力を受け付けるステップと、前記判定ステップによりオーディオディスク管理情報、及びビデオディスク管理情報の両方が記憶されている旨が判定された場合に、前記外部入力受付ステップによりディスク管理情報が当該オーディオディスク管理情報、及びビデオディスク管理情報のいずれかに切り替え替えられたか否かを判定するステップと、前記外部入力受付ステップによりディスク管理情報が当該オーディオディスク管理情報、及びビデオディスク管理情報のいずれかに切り替えられたと判定された場合に、前記外部から入力される選択指示信号によって選択されたオーディオディスク管理情報、またはビデオディスク管理情報に基づいて、前記光ディスクから必要なオーディオデータ、あるいはビデオデータを読み出し、再生するステップとを含むものとしたので、ＶＭＧとＡＭＧの両方を含むＤＶＤ−Ａｕｄｉｏ規格ディスクを再生した場合でも、ユーザがプレーヤのディスク管理情報をＡＭＧとＶＭＧに任意に切り換えることができるようにすることにより、すべてのＡＴＳとＶＴＳを再生することができる、という効果が得られる。
【００４６】
また、本発明の請求項５にかかる光ディスク再生装置によれば、物理構造を規定した物理層、データファイル構造を規定したファイル層、アプリケーション構造を規定したアプリケーション層を有し、共通の物理層とファイル層の上に少なくとも２つ以上のアプリケーション層を有する光ディスクに記録されたデータを再生する光ディスク再生装置において、前記複数のアプリケーション層における各々の管理情報、並びにアプリケーションに含まれるデータと、シーケンス情報、オブジェクト位置情報、及びタイトルセット位置情報を読み出す情報読み出し手段と、前記情報読み出し手段によって読み出された前記複数の管理情報を記憶するための記憶手段と、前記記憶手段に複数の管理情報が記憶されているか否かを判定する第１の判定手段と、前記記憶手段に記憶された複数の管理情報のうち、ユーザの選択に応じて所望の管理情報を選択する選択手段と、前記第１の判定手段により前記記憶手段に複数の管理情報が記憶されている旨が判定された場合に前記選択手段により当該複数の管理情報の中から選択が行われたか否かを判定する第２の判定手段と、前記第２の判定手段により前記複数の管理情報の中から選択が行われたと判定された場合に前記選択手段によって選択された前記所望の管理情報に基づいて、前記光ディスクから必要なデータを読み出し再生するよう前記情報読み出し手段を制御する制御手段とを備えたものとしたので、ＶＭＧとＡＭＧの両方を含むＤＶＤ−Ａｕｄｉｏ規格ディスクを再生した場合でも、ユーザがプレーヤのディスク管理情報をＡＭＧとＶＭＧに任意に切り換えることができることにより、すべてのＡＴＳとＶＴＳを再生可能な光ディスク再生装置（ＤＶＤユニバーサルプレーヤ）を実現できる、という効果が得られる。
【図面の簡単な説明】
【図１】本発明の実施の形態１による光ディスク再生装置の全体構成ブロック図
【図２】同リモコン送信機の操作部分の外観図
【図３】同システム制御部の処理内容を示したフローチャートを記載した図
【図４】ＤＶＤ−Ｖｉｄｅｏ規格のＤＶＤ−Ｖｉｄｅｏ  ｚｏｎｅ中のファイル構造を示す図
【図５】ＤＶＤ−Ａｕｄｉｏ規格のＤＶＤ−Ａｕｄｉｏ  ｚｏｎｅとＤＶＤ−Ｖｉｄｅｏ  ｚｏｎｅを有する場合のＡＭＧからの管理ファイル構造を示す図
【図６】ＤＶＤ−Ｖｉｄｅｏ規格とＤＶＤ−Ａｕｄｉｏ規格の規格上の関係を示す図
【図７】ＤＶＤ−Ｖｉｄｅｏ規格とＤＶＤ−Ａｕｄｉｏ規格内容の比較を示す図
【図８】ＤＶＤ−Ｖｉｄｅｏ規格ディスクのファイルデータ構造を示す図
【図９】ＡｕｄｉｏｚｏｎｅとＶｉｄｅｏ  ｚｏｎｅの両者を持つＤＶＤ−Ａｕｄｉｏ規格ディスクのファイルデータ構造を示す図
【図１０】Ａｕｄｉｏｚｏｎｅだけを持つＤＶＤ−Ａｕｄｉｏ規格ディスクのファイルデータ構造を示す図
【図１１】ＤＶＤプレーヤと再生ディスクとの関係を示す図
【図１２】ＤＶＤプレーヤと再生ディスクとの関係を示す図
【図１３】物理レイヤー構造とファイルレイヤー構造が同一規格で、アプリケーションレ
イヤー構造のみが異なるディスクの概念を示す図
【符号の説明】
１    スピンドルモータ
２    光ピックアップ
５    ＡＶデコーダ部
６    システムデコーダ
７    ビデオデコーダ
９    オーディオデコーダ
１２  ビデオディスク情報管理情報記憶部
１３  オーディオディスク情報管理情報記憶部
１７  システム制御部
２０  光ディスク
４０  ビデオディスク管理情報
４１  ビデオタイトルセット集
４２  ビデオマネージャ
４３  ビデオマネージャ情報管理テーブル
４４  タイトルセットサーチポインタテーブル
４５  タイトルセットサーチポインタ
４６  ビデオタイトルセット管理情報
４７  ビデオタイトルセット
４８  ビデオタイトルセット管理テーブル
４９  プログラムチェーン情報テーブル
５０  ビデオタイトルセットプログラムチェーン管理テーブル
５１  プログラムチェーン情報サーチポインタ
５２  プログラムチェーン情報
５３  オブジェクト位置情報
５４  シーケンス情報
６０  オーディオディスク管理情報
６１  オーディオタイトルセット集
６２  ビデオタイトルセット集
６３  オーディオマネージャ
６４  オーディオマネージャ情報管理テーブル
６５  タイトルセットサーチポインタテーブル
６６  タイトルセットサーチポインタ
６７  Ａｕｄｉｏ  Ｔｉｔｌｅ  Ｃａｔｅｇｏｒｙ情報
６８  オーディオタイトルセット管理情報
６９  オーディオタイトルセット
７０  オーディオタイトルセット管理テーブル
７１  プログラムチェーン情報テーブル
７２  オーディオタイトルセットプログラムチェーン管理テーブル
７３  プログラムチェーン情報サーチポインタ
７４  プログラムチェーン情報
７５  オブジェクト位置情報
７６  シーケンス情報
８１、９１  ＤＶＤ−Ｖｏｌｕｍｅ  ｚｏｎｅ
８２、９３  ＤＶＤ−Ｖｉｄｅｏ  ｚｏｎｅ
９２  ＤＶＤ−Ａｕｄｉｏ  ｚｏｎｅ
８３、９４  ＤＶＤ−Ｏｔｈｅｒ  ｚｏｎｅ
８４、９７  ＶＭＧ
９５  ＡＭＧ
９６  ＡＴＳ
８５、９８  ＶＴＳ
１３０  物理層
１３１  データファイル層
１３２  アプリケーション層
【図１】
0003619426.tif 000002
【図２】
0003619426.tif 000003
【図３】
0003619426.tif 000004
【図４】
0003619426.tif 000005
【図５】
0003619426.tif 000006
【図６】
0003619426.tif 000007
【図７】
0003619426.tif 000008
【図８】
0003619426.tif 000009
【図９】
0003619426.tif 000010
【図１０】
0003619426.tif 000011
【図１１】
0003619426.tif 000012
【図１２】
0003619426.tif 000013
【図１３】
0003619426.tif 000014